(57)【要約】      （修正有）【課題】光学式マウスの機能を損ねることなく、その操作性を向上させることが可能な光学式マウスの裏面貼着シート及びこれを用いた光学式マウスを提供する。【解決手段】光学式マウス１１の裏面側に貼着して使用し、光学式マウス１１の操作性を向上させる貼着シートであって、自由厚みが０．４ｍｍ以上２ｍｍ以下の範囲にあって弾力性を有する布地１２と、布地１２の裏面側に貼着された貼着剤１３と、布地１２の裏面側に貼着剤１３を介して貼着され、光学式マウス１１の裏面側への貼着時に剥ぎ取り可能な離形紙とを有する。【選択図】図１
0003113105.tif 000002
【実用新案登録請求の範囲】
【請求項１】
光学式マウスの裏面側に貼着して使用し、該光学式マウスの操作性を向上させる貼着シートであって、
自由厚みが０．４ｍｍ以上２ｍｍ以下の範囲にあって弾力性を有する布地と、該布地の裏面側に貼着された貼着剤と、前記布地の裏面側に前記貼着剤を介して貼着され、前記光学式マウスの裏面側への貼着時に剥ぎ取り可能な離形紙とを有することを特徴とする光学式マウスの裏面貼着シート。
【請求項２】
光学式マウスの裏面側に貼着して使用し、該光学式マウスの操作性を向上させる貼着シートであって、
自由厚みが０．４ｍｍ以上２ｍｍ以下の範囲にあって弾力性を有する布地と、該布地の裏面側に貼着され、前記光学式マウスの裏面側への貼着時に剥ぎ取り可能な離形紙付きの両面テープとを有することを特徴とする光学式マウスの裏面貼着シート。
【請求項３】
請求項１及び２のいずれか１項に記載の光学式マウスの裏面貼着シートにおいて、前記布地は前記光学式マウスの裏面側の投射面積の３０％以上９５％以下の範囲にあって、前記光学式マウスの裏面側に形成されたセンサー用光通過窓に対応する部分には、切欠きが設けられていることを特徴とする光学式マウスの裏面貼着シート。
【請求項４】
請求項１及び２のいずれか１項に記載の光学式マウスの裏面貼着シートにおいて、前記布地は最大幅が１０ｍｍ以上２０ｍｍ以下の小片からなって、使用にあっては、複数の前記布地を前記光学式マウスの裏面側に形成されたセンサー用光通過窓の周囲に貼着することを特徴とする光学式マウスの裏面貼着シート。
【請求項５】
請求項４記載の光学式マウスの裏面貼着シートにおいて、前記布地は平面視して円形又は楕円形となっていることを特徴とする光学式マウスの裏面貼着シート。
【請求項６】
請求項１〜５のいずれか１項に記載の光学式マウスの裏面貼着シートにおいて、前記布地の自由厚みが０．４ｍｍ以上０．７ｍｍ以下であることを特徴とする光学式マウスの裏面貼着シート。
【請求項７】
請求項１〜６のいずれか１項に記載の光学式マウスの裏面貼着シートにおいて、前記布地の表面側に摩擦軽減層を形成することを特徴とする光学式マウスの裏面貼着シート。
【請求項８】
請求項１〜７のいずれか１項に記載の光学式マウスの裏面貼着シートにおいて、前記布地の表面側には彩色が施されていることを特徴とする光学式マウスの裏面貼着シート。
【請求項９】
請求項１〜８のいずれか１項に記載の光学式マウスの裏面貼着シートにおいて、前記布地はフェルト地であることを特徴とする光学式マウスの裏面貼着シート。
【請求項１０】
請求項１〜９のいずれか１項に記載の光学式マウスの裏面貼着シートを用いたことを特徴とする光学式マウス。
【考案の詳細な説明】
【技術分野】
【０００１】
本考案は、例えばパソコンに接続される光学読み取り式のマウス（以下、単に「光学式マウス」という）に使用する裏面貼着シート及びこれを用いた光学式マウスに関する。
【背景技術】
【０００２】
従来の光学式マウスとしては、Ｘ方向の座標情報を検出するためのＸライン検出部と、Ｙ方向の座標情報を検出するためのＹライン検出部とを有するものがある。この光学式マウスは、その内部に配置された発光素子（例えば、発光ダイオード）から可視光線又は赤外光線をマウスパッドに照射し、その反射光をＸライン検出部とＹライン検出部に当て、光学式マウスの水平方向の前後（Ｙ方向）と左右（Ｘ方向）の移動量を検知し、これをパソコンに入力するものである。
このように、光学式マウスは、その裏面がマウスパッドに接触しながら光学的手段を用いて移動方向を検知するため、マウスパッドとの接触抵抗によって、光学式マウスが動かしにくく操作性が悪い。
そこで、例えば、特許文献１には、光学式マウスの裏面側に、滑り易い材料である四フッ化エチレン樹脂で構成された滑動部を設けたものが提案されている。
【０００３】
【特許文献１】特開２００４−１３２３６号公報
【考案の開示】
【考案が解決しようとする課題】
【０００４】
しかしながら、前記特許文献１に記載の光学式マウスの滑動部は、光学式マウスの使用時にほとんど変形しない樹脂のみで構成されているため、光学式マウスを移動させる度に、その力加減によってはマウスパッド表面を傷付ける恐れがある。なお、このとき、マウスパッド又は滑動部の削りかすが発生する場合もあり、このかすが光学式マウスの移動位置の検出を妨げる恐れがある。また、光学式マウスの移動時に、マウスパッド上を摺動する滑動部のすれる音が発生し、使用者が不快になる恐れがある。
更に、光学式マウスの裏面側に滑動部を設けているため、光学式マウスに力を加える方向によっては、クリック時に光学式マウスが移動してその位置決め点にずれが生じる恐れがあり、操作性に問題がある。
【０００５】
本考案はかかる事情に鑑みてなされたもので、光学式マウスの機能を損ねることなく、その操作性を向上させることが可能な光学式マウスの裏面貼着シート及びこれを用いた光学式マウスを提供することを目的とする。
【課題を解決するための手段】
【０００６】
前記目的に沿う第１の考案に係る光学式マウスの裏面貼着シートは、光学式マウスの裏面側に貼着して使用し、該光学式マウスの操作性を向上させる貼着シートであって、
自由厚みが０．４ｍｍ以上２ｍｍ以下の範囲にあって弾力性を有する布地と、該布地の裏面側に貼着された貼着剤と、前記布地の裏面側に前記貼着剤を介して貼着され、前記光学式マウスの裏面側への貼着時に剥ぎ取り可能な離形紙とを有する。
【０００７】
前記目的に沿う第２の考案に係る光学式マウスの裏面貼着シートは、光学式マウスの裏面側に貼着して使用し、該光学式マウスの操作性を向上させる貼着シートであって、
自由厚みが０．４ｍｍ以上２ｍｍ以下の範囲にあって弾力性を有する布地と、該布地の裏面側に貼着され、前記光学式マウスの裏面側への貼着時に剥ぎ取り可能な離形紙付きの両面テープとを有する。
【０００８】
第１、第２の考案に係る光学式マウスの裏面貼着シートにおいて、前記布地は前記光学式マウスの裏面側の投射面積の３０％以上９５％以下の範囲にあって、前記光学式マウスの裏面側に形成されたセンサー用光通過窓に対応する部分には、切欠きが設けられていることが好ましい。
【０００９】
第１、第２の考案に係る光学式マウスの裏面貼着シートにおいて、前記布地は最大幅が１０ｍｍ以上２０ｍｍ以下の小片からなって、使用にあっては、複数の前記布地を前記光学式マウスの裏面側に形成されたセンサー用光通過窓の周囲に貼着することが好ましい。
【００１０】
第１、第２の考案に係る光学式マウスの裏面貼着シートにおいて、前記布地は平面視して円形又は楕円形となっていることが好ましい。
【００１１】
第１、第２の考案に係る光学式マウスの裏面貼着シートにおいて、前記布地の自由厚みが０．４ｍｍ以上０．７ｍｍ以下であることが好ましい。
【００１２】
第１、第２の考案に係る光学式マウスの裏面貼着シートにおいて、前記布地の表面側に摩擦軽減層を形成することが好ましい。
【００１３】
第１、第２の考案に係る光学式マウスの裏面貼着シートにおいて、前記布地の表面側には彩色が施されていることが好ましい。
【００１４】
第１、第２の考案に係る光学式マウスの裏面貼着シートにおいて、前記布地はフェルト地であることが好ましい。
【００１５】
前記目的に沿う第３の考案に係る光学式マウスは、第１及び第２の考案に係る光学式マウスの裏面貼着シートを用いている。
【考案の効果】
【００１６】
請求項１〜９記載の光学式マウスの裏面貼着シート、及び請求項１０記載の光学式マウスは、弾力性を有する布地を光学式マウスの裏面側に貼着するので、光学式マウスをスムーズに動かすことができ、マウスパッド表面の傷付きも抑制でき、更にマウスパッド上の移動時のすれる音も抑制できる。これにより、光学式マウスを、例えば、ガラス製のテーブル又は高価な木の机の上で使用する場合においても、使用者は快適に操作できる。
なお、布地からは削りかすが発生せず、しかもマウスパッド上のほこりを吸着できるので、光学式マウスの移動位置を正確に検出できる。
また、弾力性を有する布地を使用することで、光学式マウスにクッション機能を与えることができるので、例えば、手首に優しく、クリックをソフトにし、使用者の負担を軽減できる。更に、光学式マウスのクリック時に力を加えても、その押圧力を布地が吸収するので、光学式マウスが移動しにくく、位置決め点のずれが無くなる。
このように、光学式マウスの機能を損ねることなく、その操作性を向上させることが可能な光学式マウスの裏面貼着シート及びこれを用いた光学式マウスを提供できる。
【００１７】
請求項３記載の光学式マウスの裏面貼着シートは、布地を設置する面積及び領域を規定しているので、光学式マウスの機能を妨げることなく、布地を貼着する効果を十分に発揮できる。
【００１８】
請求項４記載の光学式マウスの裏面貼着シートは、布地を小片とし、光学式マウスの裏面側のセンサー用光通過窓の周囲に貼着するので、光学式マウスの使用時に、マウスパッドに対する抵抗を小さくして、光学式マウスの操作性を向上させることができる。また、光学式マウスへの布地の貼着位置の自由度が大きくなるので、光学式マウスの構造に影響されることなく、布地の貼着が可能になる。
【００１９】
請求項５記載の光学式マウスの裏面貼着シートは、布地が平面視して円形又は楕円形であるので、例えば、角形にした布地よりも、光学式マウスの使用時における布地の剥がれを抑制できる。
【００２０】
請求項６記載の光学式マウスの裏面貼着シートは、布地の自由厚みを０．４ｍｍ以上０．７ｍｍ以下にすることで、光学式マウスの機能を妨げることなく、布地による光学式マウスのクッション機能も保持できる。
【００２１】
請求項７記載の光学式マウスの裏面貼着シートは、布地の表面側に摩擦軽減層が設けられているので、光学式マウスの使用時の滑走性を良好にできる。
【００２２】
請求項８記載の光学式マウスの裏面貼着シートは、布地の表面側には彩色が施されているので、装飾美を醸し出し、商品の購買意欲を向上させることができる。
【００２３】
請求項９記載の光学式マウスの裏面貼着シートは、布地はフェルト地であるので、簡単で安価に製造でき、経済的である。
【考案を実施するための最良の形態】
【００２４】
続いて、添付した図面を参照しつつ、本考案を具体化した実施の形態につき説明し、本考案の理解に供する。
ここで、図１（Ａ）、（Ｂ）はそれぞれ本考案の第１の実施の形態に係る光学式マウスの裏面貼着シートを貼着した光学式マウスの側面図、裏面図、図２（Ａ）は同光学式マウスの裏面貼着シートの部分拡大側面図、（Ｂ）、（Ｃ）はそれぞれ他の構成の光学式マウスの裏面貼着シートの部分拡大側面図、図３（Ａ）、（Ｂ）はそれぞれ第１、第２の変形例に係る光学式マウスの裏面貼着シートを貼着した光学式マウスの裏面図、図４は本考案の第２の実施の形態に係る光学式マウスの裏面貼着シートを貼着した光学式マウスの側面図、裏面図、図５（Ａ）〜（Ｃ）はそれぞれ第３〜第５の変形例に係る光学式マウスの裏面貼着シートの説明図である。
【００２５】
図１（Ａ）、（Ｂ）、図２（Ａ）に示すように、本考案の第１の実施の形態に係る光学式マウスの裏面貼着シート（以下、単に貼着シートともいう）１０は、光学式マウス（以下、単にマウスともいう）１１の裏面側に貼着して使用し、その操作性を向上させるものであり、弾力性を有する布地１２と、布地１２の裏面側に貼着された貼着剤１３と、布地１２の裏面側に貼着剤１３を介して貼着され、マウス１１の裏面側への貼着時に剥ぎ取り可能な離形紙１４とを有する。以下、詳しく説明する。
【００２６】
布地１２は、フェルト地又はビロード（通称べっちん）で構成され、力が付与されない自由状態での厚み（即ち、自由厚み）Ｔが０．４ｍｍ以上２ｍｍ以下の範囲のものである。ここで、布地の自由厚みが０．４ｍｍ未満の場合、布地の弾力性を得る効果が少なくなり、一方、自由厚みが２ｍｍを超える場合、布地が厚くなり過ぎ、マウスの移動位置の検出に誤差が生じる恐れがある。このため、布地の自由厚みは、０．４ｍｍ以上１．０ｍｍ以下とすることが好ましく、更には、０．４ｍｍ以上０．７ｍｍ以下とすることが好ましい。
【００２７】
布地１２の裏面には、再剥離可能、即ち繰り返し接着及び剥離が可能な接着剤である貼着剤（粘着剤ともいう）１３が塗布されている。ここで、貼着シート１０の未使用時は、貼着剤１３の裏面側に接着防止用シートである離形紙１４が貼着され、貼着シート１０をマウス１１裏面に貼着する際には、貼着剤１３から離形紙１４を剥がし、布地１２を貼着剤１３によりマウス１１の所定位置に貼着する。
【００２８】
なお、図２（Ｂ）、（Ｃ）にそれぞれ示すように、布地１２の裏面に両面テープ１５、１６を貼着した光学式マウスの裏面貼着シート１７、１８を使用することも可能である。この図２（Ｂ）に示す両面テープ１５には、フィルムシート１９を挟んで布地１２側に接着剤２０が塗布され、離形紙１４側に再剥離可能な貼着剤２１が塗布されたものである。また、図２（Ｃ）に示す両面テープ１６は、布地１２側に接着剤が、離形紙１４側に再剥離可能な貼着剤が、予め塗布された構成のものである。
【００２９】
図１（Ｂ）に示すように、布地１２は、平面視して円形で、その直径（最大幅）が１０ｍｍ以上２０ｍｍ以下の小片である。なお、図３（Ａ）に示すように、平面視して楕円形とし、その長軸（最大幅）を１０ｍｍ以上２０ｍｍ以下とした小片からなる布地を備えた光学式マウスの裏面貼着シート２２を使用することも可能である。
貼着シート１０の使用に際しては、４個の貼着シート１０をマウス１１の四隅部にそれぞれ貼着する。ここで、貼着シート１０の貼着位置は、これに限定されず、例えば、マウス１１の前後左右に１個ずつ貼着してもよい。
【００３０】
また、マウス１１に貼着する貼着シートの個数は、複数個であればよく、２個、３個、又は５個以上でもよい。なお、図３（Ｂ）に示すように、２個の光学式マウスの裏面貼着シート２３、２４を使用する場合は、布地の形状を平面視して幅長の楕円形とし、マウス１１裏面の前後に、その幅方向に渡ってそれぞれ貼着する。
このように、複数の貼着シート１０（貼着シート２２〜２４も同様）を、マウス１１の裏面側に形成されたセンサー用光通過窓２５の周囲に貼着することで、マウス１１の移動位置の検知を妨げることなく、操作性を向上できる。
【００３１】
また、布地の表面側、即ちマウスパッドの接触面側に摩擦軽減層を形成することも可能である。
この摩擦軽減層は、例えば、布地であるフェルトの表面側にシリコーン油を染み込ませたり、染み込ませたシリコーン油に熱を加えてフェルト繊維に絡ませたり、またフェルトの表面側に配置した樹脂状のシリコーン（有機珪素化合物の重合体）を硬化させ、これをフェルト表面に接着することで形成できる。ここで、シリコーンを硬化させる方法としては、熱による硬化方法、又はシリコーンに硬化剤を入れて紫外線で硬化（ＵＶ硬化）させる方法を使用できる。このように、フェルト地の表面側に摩擦軽減層を形成した後、フェルト地が前記した形状となるように、一体的に打抜いて成形する。
これにより、フェルトの弾力性と摩擦軽減層による滑走性を備えた貼着シートを製造でき、マウスの操作性の更なる向上が可能になる。
なお、布地の表面側、即ちマウスパッドと接触する面側には、例えば、黒、赤、青、黄、緑、橙、又は白のような彩色を施すことが可能である。
【００３２】
次に、本考案の第２の実施の形態に係る光学式マウスの裏面貼着シート（以下、単に貼着シートともいう）３０について説明するが、貼着シートの構成は前記した貼着シート１０と略同様の構成であるため、詳しい説明を省略する。
図４（Ａ）、（Ｂ）に示すように、貼着シート３０は、弾力性を有する布地３１と、布地３１の裏面側に貼着された貼着剤３２と、布地３１の裏面側に貼着剤３２を介して貼着され、マウス１１の裏面側への貼着時に剥ぎ取り可能な離形紙３３とを有する。
【００３３】
図４（Ｂ）に示すように、布地３１は、平面視してＯ字状となって、マウス１１の裏面側に形成されたセンサー用光通過窓２５に対応する部分に、切欠き３４が設けられたものである。
この布地３１は、マウス１１の裏面側の投射面積の３０％以上９５％以下の範囲に貼着されている。ここで、布地の貼着面積が３０％未満の場合、布地の弾力性を得る効果が少なくなり、一方、貼着面積が９５％を超える場合、貼着面積が広くなり過ぎ、マウスの裏面側に形成されたセンサー用光通過窓を遮る恐れがある。
このため、布地の貼着面積の下限値を、好ましくは４０％、更に好ましくは５０％とし、上限値を、好ましくは９０％、更に好ましくは８０％とする。
【００３４】
なお、布地の形状はこれに限定されるものではない。
例えば、図５（Ａ）に示すように、平面視してＵ字状とした布地３５を使用することも可能である。この場合、切欠き３６にセンサー用光通過窓２５が配置されるように、布地３５をマウス１１の裏面側に貼着する。
また、図５（Ｂ）に示すように、平面視して十字状とした布地３７を使用することも可能である。なお、布地３７の各先部は、角をとって半円形の形状としている。この場合、布地３７の交差した部分に、平面視して円形の切欠き３８を形成し、この切欠き３８にセンサー用光通過窓２５が配置されるように、布地３７をマウス１１の裏面側に貼着する。
そして、図５（Ｃ）に示すように、前記した布地３１の切欠きを、平面視して円形とした布地３９を使用することも可能である。この場合、円形の切欠き４０を形成し、この切欠き４０にセンサー用光通過窓２５が配置されるように、布地３９をマウス１１の裏面側に貼着する。
【００３５】
以上に示した貼着シートは、離形紙を貼り付けた状態で製品として出荷できるが、予め離形紙を剥がしてマウスに貼着した状態で、そのマウスを製品として出荷することも可能である。
【００３６】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案の光学式マウスの裏面貼着シート及びこれを用いた光学式マウスを構成する場合も本考案の権利範囲に含まれる。
【図面の簡単な説明】
【００３７】
【図１】（Ａ）、（Ｂ）はそれぞれ本考案の第１の実施の形態に係る光学式マウスの裏面貼着シートを貼着した光学式マウスの側面図、裏面図である。
【図２】（Ａ）は同光学式マウスの裏面貼着シートの部分拡大側面図、（Ｂ）、（Ｃ）はそれぞれ他の構成の光学式マウスの裏面貼着シートの部分拡大側面図である。
【図３】（Ａ）、（Ｂ）はそれぞれ第１、第２の変形例に係る光学式マウスの裏面貼着シートを貼着した光学式マウスの裏面図である。
【図４】（Ａ）、（Ｂ）はそれぞれ本考案の第２の実施の形態に係る光学式マウスの裏面貼着シートを貼着した光学式マウスの側面図、裏面図である。
【図５】（Ａ）〜（Ｃ）はそれぞれ第３〜第５の変形例に係る光学式マウスの裏面貼着シートの説明図である。
【符号の説明】
【００３８】
１０：光学式マウスの裏面貼着シート、１１：光学式マウス、１２：布地、１３：貼着剤、１４：離形紙、１５、１６：両面テープ、１７、１８：光学式マウスの裏面貼着シート、１９：フィルムシート、２０：接着剤、２１：貼着剤、２２〜２４：光学式マウスの裏面貼着シート、２５：センサー用光通過窓、３０：光学式マウスの裏面貼着シート、３１：布地、３２：貼着剤、３３：離形紙、３４：切欠き、３５：布地、３６：切欠き、３７：布地、３８：切欠き、３９：布地、４０：切欠き
【図１】
0003113105.tif 000003
【図２】
0003113105.tif 000004
【図３】
0003113105.tif 000005
【図４】
0003113105.tif 000006
【図５】
0003113105.tif 000007